(57)【要約】【課題】簡単な操作で網に適切な張力を与えることができ、しかも網戸張り作業の容易化を図ることができる建具用網押さえ部材及び建具用網並びにこれを用いた網戸を得る。【解決手段】網戸１０の網戸枠１８には凹溝２８が形成されており、かかる凹溝２８内にビード４４が押し込められることにより網本体４２が張設されるようになっている。ビード４４は網本体４２と同質又は親和性のある材料によって構成されており、網戸枠１８の凹溝２８に装着する前の段階で、熱を加えて一体化されている。従って、従来は必要であった網をカットする作業が不要になる等、多くのメリットがある。【選択図】図１
2007327257.tif 000002
【特許請求の範囲】
【請求項１】
建具用網と同一材質又は親和性のある材質によって柔軟性のある棒状に形成されると共に、建具に設けられた溝状の被取付部に押し込まれることにより装着状態とされ、さらに当該建具への装着以前の状態で外周部又は内部に建具用網の端部が溶着により固定可能とされている、
ことを特徴とする建具用網押さえ部材。
【請求項２】
柔軟性のある棒状に形成されると共に、建具に設けられた溝状の被取付部に押し込まれることにより装着状態とされ、さらに当該建具への装着以前の状態で外周部又は内部に建具用網の端部が接着及び加圧の少なくとも一方により固定可能とされている、
ことを特徴とする建具用網押さえ部材。
【請求項３】
前記建具用網押さえ部材は、軸芯部に配置された芯部と、この芯部の外周部に設けられた被覆部と、を含んで構成されており、
当該被覆部は加熱されることにより建具用網の端部に溶着される、
ことを特徴とする請求項１記載の建具用網押さえ部材。
【請求項４】
前記建具用網押さえ部材には、軸芯に向かって切れ込む切欠部が形成されており、
当該切欠部内へ建具用網の端部が挿入された状態で溶着により前記建具用網の端部が固定可能とされている、
ことを特徴とする請求項１記載の建物用網押さえ部材。
【請求項５】
前記建具用網押さえ部材には、軸芯に向かって切れ込む切欠部が形成されており、
当該切欠部内へ建具用網の端部が挿入された状態で接着及び加圧の少なくとも一方により前記建具用網の端部が固定可能とされている、
ことを特徴とする請求項２記載の建物用網押さえ部材。
【請求項６】
中空断面の長尺状部材として構成されると共に、建具に設けられた溝状の被取付部に押し込まれることにより装着状態とされ、さらに当該建具への装着以前の状態で外周部又は内部に建具用網の端部が接合手段によって固定可能とされている、
ことを特徴とする建具用網押さえ部材。
【請求項７】
建具用網本体と、
この建具用網本体の端部に溶着により又は接着及び加圧の少なくとも一方によって固定されることにより建具用網本体と予め一体化された請求項１乃至請求項６のいずれか一項に記載の建具用網押さえ部材と、
を有することを特徴とする建具用網。
【請求項８】
枠体の所定位置に前記被取付部が形成された網戸枠と、
この網戸枠の被取付部内に前記建具用網押さえ部材を押し込むことにより取り付けられる請求項７に記載の建具用網と、
を有することを特徴とする網戸。
【発明の詳細な説明】
【技術分野】
【０００１】
本発明は、建具用網押さえ部材及び建具用網並びにこれを用いた網戸に関する。
【背景技術】
【０００２】
従来から住宅用建具として網戸が使用されている。一般に、網戸は、網戸枠と網戸枠に張設される網と網を網戸枠に固定するための固定手段とを含んで構成されている。
【０００３】
ここで、下記特許文献１には、網戸に関する技術が開示されている。簡単に説明すると、この技術では、矩形状に裁断された網部の両側部に長尺状の収納ケースをそれぞれ取付けるようになっている。一方の収納ケースには帯板状の固定部が嵌め込み可能とされており、この固定部に網部の一方の側部が巻き込まれて固定されるようになっている。また、他方の収納ケースには網部の他方の側部が固定されると共にスプリングで巻取り方向へ付勢された巻取り部が装着されるようになっている。
【特許文献１】特許３３９１７１４号公報
【発明の開示】
【発明が解決しようとする課題】
【０００４】
しかしながら、上記先行技術による場合、網部を収納ケース（網戸枠に相当）に固定するための構造が非常に複雑であり、工場で組み立てるにしても現場で組み立てるにしても複数の道具が必要になると共に組立要領を充分に把握していないと組み立てることができない。従って、網戸張り作業が煩雑化するという課題がある。
【０００５】
また、網戸の網部に適度な張力を付与するために固定部及び巻取り部が必要になるが、いずれも複雑な構造になっており、製造コストがかかる。
【０００６】
本発明は上記事実を考慮し、簡単な操作で網に適切な張力を与えることができ、しかも網戸張り作業の容易化を図ることができる建具用網押さえ部材及び建具用網並びにこれを用いた網戸を得ることが目的である。
【課題を解決するための手段】
【０００７】
請求項１の発明に係る建具用網押さえ部材は、建具用網と同一材質又は親和性のある材質によって柔軟性のある棒状に形成されると共に、建具に設けられた溝状の被取付部に押し込まれることにより装着状態とされ、さらに当該建具への装着以前の状態で外周部又は内部に建具用網の端部が溶着により固定可能とされている、ことを特徴とする。
【０００８】
請求項２の発明に係る建具用網押さえ部材は、柔軟性のある棒状に形成されると共に、建具に設けられた溝状の被取付部に押し込まれることにより装着状態とされ、さらに当該建具への装着以前の状態で外周部又は内部に建具用網の端部が接着及び加圧の少なくとも一方により固定可能とされている、ことを特徴とする。
【０００９】
請求項３の発明は、請求項１記載の建具用網押さえ部材において、前記建具用網押さえ部材は、軸芯部に配置された芯部と、この芯部の外周部に設けられた被覆部と、を含んで構成されており、当該被覆部は加熱されることにより建具用網の端部に溶着される、ことを特徴とするとする。
【００１０】
請求項４の発明は、請求項１記載の建物用網押さえ部材において、前記建具用網押さえ部材には、軸芯に向かって切れ込む切欠部が形成されており、当該切欠部内へ建具用網の端部が挿入された状態で溶着により前記建具用網の端部が固定可能とされている、ことを特徴とする。
【００１１】
請求項５の発明は、請求項２記載の建物用網押さえ部材において、前記建具用網押さえ部材には、軸芯に向かって切れ込む切欠部が形成されており、当該切欠部内へ建具用網の端部が挿入された状態で接着及び加圧の少なくとも一方により前記建具用網の端部が固定可能とされている、ことを特徴とする。
【００１２】
請求項６の発明に係る建物用網押さえ部材は、中空断面の長尺状部材として構成されると共に、建具に設けられた溝状の被取付部に押し込まれることにより装着状態とされ、さらに当該建具への装着以前の状態で外周部又は内部に建具用網の端部が接合手段によって固定可能とされている、ことを特徴とする建具用網押さえ部材とする。
【００１３】
請求項７の発明に係る建具用網は、建具用網本体と、この建具用網本体の端部に溶着により又は接着及び加圧の少なくとも一方によって固定されることにより建具用網本体と予め一体化された請求項１乃至請求項６のいずれか一項に記載の建具用網押さえ部材と、を有することを特徴とする。
【００１４】
請求項８の発明に係る網戸は、枠体の所定位置に前記被取付部が形成された網戸枠と、この網戸枠の被取付部内に前記建具用網押さえ部材を押し込むことにより取り付けられる請求項７に記載の建具用網と、を有することを特徴とする。
【００１５】
請求項１記載の本発明によれば、建具用網押さえ部材は建具用網と同一材質又は親和性のある材質によって柔軟性のある棒状に形成されているため、建具への装着以前の状態で、建具用網押さえ部材の外周部又は内部に建具用網の端部を溶着により予め固定して一体化することができる。そして、工場内又は現場で建具用網押さえ部材を建具に設けられた溝状の被取付部に押し込むことにより、建具用網の建具への取付が完了する。従って、複数の道具を使い分けて取付作業を行う必要がなく、煩雑な組付要領を憶えておく必要もない。さらに、建具用網押さえ部材を建具の被取付部に押し込むことにより建具用網の取付が完了するので、建具用網の張り具合を調節する必要もない。
【００１６】
請求項２記載の本発明によれば、建具用網押さえ部材は柔軟性のある棒状に形成されているため、建具への装着以前の状態で、建具用網押さえ部材の外周部又は内部に建具用網の端部を接着及び加圧の少なくとも一方により予め固定して一体化することができる。そして、工場内又は現場で建具用網押さえ部材を建具に設けられた溝状の被取付部に押し込むことにより、建具用網の建具への取付が完了する。従って、複数の道具を使い分けて取付作業を行う必要がなく、煩雑な組付要領を憶えておく必要もない。さらに、建具用網押さえ部材を建具の被取付部に押し込むことにより建具用網の取付が完了するので、建具用網の張り具合を調節する必要もない。
【００１７】
請求項３記載の本発明によれば、建具用網押さえ部材が軸芯部に配置された芯部と当該芯部の外周部に設けられた被覆部とを含んで構成されているため、建具用網の端部は被覆部に溶着される。換言すれば、建具用網押さえ部材の芯部については建具用網と同一材質又は親和性のある材質によって構成されている必要はなく、種々の材料の中から選択することができる。芯部の材質を変えれば、建具用網押さえ部材の性質も当然変わってくるので、所望の特性の建具用網押さえ部材を得ることが可能となる。
【００１８】
請求項４記載の本発明によれば、建具用網押さえ部材には軸芯に向かって切れ込む切欠部が形成されており、この切欠部内へ建具用網の端部が挿入された状態で溶着される。つまり、建具用網の端部が建具用網押さえ部材の内部に喰いこんだ状態で固定される。このため、建具用網押さえ部材は高い引張強度を発揮する。
【００１９】
請求項５記載の本発明によれば、建具用網押さえ部材には軸芯に向かって切れ込む切欠部が形成されており、この切欠部内へ建具用網の端部が挿入された状態で接着及び加圧の少なくとも一方により建具用網の端部が建具用網押さえ部材に固定可能とされる。つまり、建具用網の端部が建具用網押さえ部材の内部に喰いこんだ状態で固定される。このことと、建具用網を介して入力される引張力が建具用網押さえ部材の軸芯（重心）に向かって作用することから、建具用網押さえ部材は高い引張強度を発揮する。さらに、建具用網を介して入力される引張力が建具用網押さえ部材の軸芯（重心）に向かって作用するため、建具用網を介して引張力が入力された際に建具用網押さえ部材に回転が生じ難い。
【００２０】
請求項６記載の本発明によれば、建具用網押さえ部材は中空断面の長尺状部材として構成されており、建具への装着以前の状態で、建具用網押さえ部材の外周部又は内部に建具用網の端部を接合手段によって予め固定して一体化することができる。そして、工場内又は現場で建具用網押さえ部材を建具に設けられた溝状の被取付部に押し込むことにより、建具用網の建具への取付が完了する。従って、複数の道具を使い分けて取付作業を行う必要がなく、煩雑な組付要領を憶えておく必要もない。さらに、建具用網押さえ部材を建具の被取付部に押し込むことにより建具用網の取付が完了するので、建具用網の張り具合を調節する必要もない。
【００２１】
請求項７記載の本発明によれば、建具用網本体と請求項１乃至請求項６のいずれか一項に記載の建具用網押さえ部材とが予め一体化され、この状態で網戸製造用の中間製品となって市場に流通するので、両者を一体化するための作業が不要になる。
【００２２】
請求項８記載の本発明によれば、中間製品の建具用網が備える建具用網押さえ部材を網戸枠の被取付部内へ押し込むことにより、網戸枠に建具用網を取り付けることができる。すなわち、ニュアンスとしてはワンタッチに近い操作で網戸を組み立てることができる。
【発明の効果】
【００２３】
請求項１記載の本発明に係る建具用網押さえ部材は、簡単な操作で網に適切な張力を与えることができ、しかも網戸張り作業の容易化を図ることができるという優れた効果を有する。
【００２４】
請求項２記載の本発明に係る建具用網押さえ部材は、簡単な操作で網に適切な張力を与えることができ、しかも網戸張り作業の容易化を図ることができるという優れた効果を有する。
【００２５】
請求項３記載の本発明に係る建具用網押さえ部材は、建具用網押さえ部材の性質を所望の性質に変えることができるという優れた効果を有する。
【００２６】
請求項４記載の本発明に係る建具用網押さえ部材は、建具用網押さえ部材の建具の被取付部への組付状態を安定させることができるという優れた効果を有する。
【００２７】
請求項５記載の本発明に係る建具用網押さえ部材は、建具用網押さえ部材の建具の被取付部への組付状態をより一層安定させることができるという優れた効果を有する。
【００２８】
請求項６記載の本発明に係る建具用網押さえ部材は、簡単な操作で網に適切な張力を与えることができ、しかも網戸張り作業の容易化を図ることができるという優れた効果を有する。
【００２９】
請求項７記載の本発明に係る建具用網は、網戸組立時の作業効率を格段に向上させることができ、その結果として、簡単な操作で網に適切な張力を与えることができ、しかも網戸張り作業の容易化を図ることができるという優れた効果を有する。
【００３０】
請求項８記載の本発明に係る網戸は、ワンタッチに近い操作で網戸を組み立てることができ、その結果として、簡単な操作で網に適切な張力を与えることができ、しかも網戸張り作業の容易化を図ることができるという優れた効果を有する。
【発明を実施するための最良の形態】
【００３１】
〔第１実施形態〕
【００３２】
以下、図１〜図８を用いて、本発明に係る建具用網押さえ部材及び建具用網並びにこれを用いた網戸の第１実施形態について説明する。
【００３３】
図１には、本実施形態に係る網戸１０の縦断面図が示されている。なお、図１では、図面が見難くなるのを避けるため、ハッチングの図示を省略している。この図に示されるように、網戸１０は、内側サッシ１２及び外側サッシ１４から成る引き違い式のサッシ窓１６の屋外側に配置されている。
【００３４】
網戸１０は、矩形枠状の枠体として構成された網戸枠１８を備えている。網戸枠１８の上縁側にはスリット２０が形成されており、かかるスリット２０に上レール２２がスライド可能に挿嵌されている。また、網戸枠１８の下縁側の所定位置（両端部等）には複数のローラ２４が転動自在に軸支されており、かかるローラ２４が下レール２６に転動可能に支持されている。これにより、網戸１０は上レール２２及び下レール２６に沿って円滑に移動可能とされている。
【００３５】
さらに、上述した網戸枠１８の内周縁には、その全周に亘って被取付部としての凹溝２８が形成されている。凹溝２８は、縦断面視で水平部２８Ａ及び垂直部２８Ｂから成る略Ｌ字状の壁の内側に形成されており、屋外側に外部と連通する開口部３０が形成されている。また、凹溝２８の水平部２８Ａには抜け止め用の爪部３２が形成されている。上記構成の凹溝２８を使って建具用網としてのビード付き網４０が取り付けられている。
【００３６】
図２（Ａ）にはビード付き網４０の正面図が示されており、又図２（Ｂ）にはビード付き網４０の平面図が示されている。これらの図に示されるように、ビード付き網４０は、矩形状に裁断された建具用網本体としての網本体４２と、網本体４２の周縁部に溶着された建具用網押さえ部材としてのビード４４とによって構成されている。なお、図２（Ａ）では、ビード４４が設けられる範囲を斜線で図示している。
【００３７】
図３には、ビード付き網４０の横断面図が拡大した状態で示されている。ここに示されているビード４４は網本体４２と同一材質又は親和性のある材質によって構成されており、例えば熱可塑性樹脂（一例として、ＰＥＴ；ポリエステル）によって構成されている。また、ビード４４単体では、柔軟性のある棒状に形成されている。さらに、ビード４４の外径Ｒは、開口部３０よりも若干大きめに設定されており、凹溝２８内へ押し込んだ際にビード４４の外周部が爪部３２に干渉して更に押し込むと凹溝２８内に弾性的に装着される寸法に設定されている。
【００３８】
また、網本体４２の周縁部はビード４４の外周部に所定量巻き付けられ、この状態で図示しない加熱器具を使って網本体４２の周縁部をビード４４に押し付けながら加熱することにより、当該網本体４４の周縁部をビード４４の周面に溶着し両者を一体化している。
【００３９】
（作用・効果）
【００４０】
次に、本実施形態の作用並びに効果について説明する。
【００４１】
ビード４４は網本体４２と同一材質又は親和性のある材質によって柔軟性のある棒状に形成されているため、網戸枠１８への装着以前の状態で、ビード４４の外周部に網本体４２の端部を溶着により予め固定して一体化することができる。そして、工場内又は現場で、図４（Ａ）、（Ｂ）に示されるように、ビード４４を網戸枠１８に設けられた凹溝２８に押さえローラ等の道具で押し込むことにより、ビード付き網４０の網戸枠１８への取付が完了する。従って、先行技術のように複数の道具を使い分けて取付作業を行う必要がなく、煩雑な組付要領を憶えておく必要もない。因みに、図５（Ａ）〜図５（Ｃ）には、一般的な網戸４６（図５（Ｃ）参照）の組付手順が示されている。まず、図５（Ａ）に示されるように、凹溝２８の開口部３０を覆うように網本体４２を配置し、外側からビード４８を凹溝２８内へ押し込んで図５（Ｂ）図示状態として矢印の位置でカットする。これにより、図５（Ｃ）に示されるように、網戸４６が構成される。図４と図５の対比から解るように、本実施形態の場合には、図５（Ｂ）の中間工程を省略することができる。
【００４２】
さらに、本実施形態の場合、ビード４４を網戸枠１８の凹溝２８に押し込むことによりビード付き網４０の取付が完了するので、ビード付き網４０の張り具合を調節する必要もない。
【００４３】
以上から、本実施形態に係るビード４４を用いれば、簡単な操作で網本体４２に適切な張力を与えることができ、しかも網戸張り作業の容易化を図ることができる。
【００４４】
その他にも、本実施形態によれば、網本体４２の張力を均一に張るための道具や技能、或いは網本体４２をカットするための道具や技能を要しないので、網戸１０の組立作業が従来より非常に容易になるというメリットがある。また、網本体４２を現場でカットする必要がないので、現場にゴミが発生しないというメリットもある。
【００４５】
また、本実施形態に係るビード４４が予め一体化されたビード付き網４０によれば、上述したように網本体４２をカットする作業が不要になる。従って、本実施形態によれば、網戸組立時の作業効率を格段に向上させることができ、その結果として、簡単な操作で網に適切な張力を与えることができ、しかも網戸張り作業の容易化を図ることができる。
【００４６】
さらに、本実施形態によれば、中間製品であるビード付き網４０のビード４４を網戸枠１８の凹溝２８内へ押し込むことにより、網戸枠１８にビード付き網４０を取り付けることができる。すなわち、ニュアンスとしてはワンタッチに近い操作で網戸１０を組み立てることができる。その結果として、簡単な操作で網に適切な張力を与えることができ、しかも網戸張り作業の容易化を図ることができる。
【００４７】
＜第１実施形態のバリエーション＞
【００４８】
以下、第１実施形態のバリエーションについて概説する。
【００４９】
（１）図６に示されるビード５０では、軸芯部に配置された円形断面の芯部５２と、この芯材５２を覆う被覆部５４と、を含んで構成されている。被覆部５４は、網本体４２と同一材質又は親和性のある材質によって構成されており、例えばＰＥＴによって構成されている。なお、芯部５２は被覆部５４と同一材質で構成してもよいし、異なる材質のものを使用してもよい。
【００５０】
上記構成によれば、ビード５０の芯部５２については網本体４２と同一材質又は親和性のある材質によって構成されている必要はなく、種々の材料の中から選択することができる。芯部５２の材質を変えれば、ビード５０の性質も当然変わってくる。従って、ビード５０の性質を所望の性質に変えることができる。すなわち、ビード５０の剛性を上げたり、下げたりといった性質のチューニングを容易に行うことができる。
【００５１】
（２）図７に示されるビード５６では、ビード本体５８の周方向所定位置に軸芯に向かって切れ込みかつ軸方向に見て略扇形形状とされた欠６０が形成されている。この切欠６０に充填可能な形状に成形された溶着部６２が網本体４２の端部に予め取り付けられている。これらのビード本体５８及び溶着部６２は、図６の被覆部５４と同様に、網本体４２と同一材質又は親和性のある材質によって構成されており、例えばＰＥＴによって構成されている。なお、溶着部６２は、ビード本体５８の切欠６０側に設定するようにしてもよい。
【００５２】
上記構成によれば、ビード５６には軸芯に向かって切れ込む切欠６０が形成されており、この切欠６０内へ網本体４２の端部が挿入された状態で溶着される。つまり、網本体４２の端部がビード５６の内部に喰いこんだ状態で固定される。このため、ビード５６は高い引張強度を発揮する。
【００５３】
（３）図８（Ａ）、（Ｂ）に示されるビード６４では、ビード本体６６の周方向所定位置に軸芯に向かって切れ込みかつ軸方向に見て略扇形形状とされた切欠６８が形成されている。一方、網本体４２の端部の片面には接合手段としての両面テープ７０が貼着されている。なお、両面テープ７０はビード本体６６の半径と同一程度の幅方向寸法を有している。また、両面テープ７０を網本体４２の端部の片面だけでなく両面に設けてもよい。
【００５４】
補足すると、このビード６４の場合、網本体４２をビード本体６６に固定するための接合手段として両面テープ７０を備えているので、ビード本体６６自体は網本体４２と同一材料又はこれと親和性のある材料で構成されている必要はない。
【００５５】
上記構成のビード付き網４０は、ビード６４を凹溝２８内へ押し込んだ際に切欠６８が閉塞する方向へ押し潰されて（加圧により弾性変形して）、両面テープ７０の接着力とも相まって挟み込まれて固定状態となる。
【００５６】
上記構成によれば、ビード６４には軸芯に向かって切れ込む切欠６８が形成されており、この切欠６８内へ網本体４２の端部が挿入された状態で両面テープ７０の接着力とビード６４を凹溝２８内へ押し込んだときの押し込み力とによって網本体４２の端部はビード６４に固定された状態となる。つまり、網本体４２の端部がビード６４の内部に喰いこんだ状態で固定される。このことと、網本体４２を介して入力される引張力がビード６４の軸芯（重心）に向かって作用することから、ビード６４は高い引張強度を発揮する。さらに、網本体４２を介して入力される引張力がビード６４の軸芯（重心）に向かって作用するため、網本体４２を介して引張力が入力された際にビード６４に回転が生じ難い。その結果、ビード６４の網戸枠１８の凹溝２８への組付状態を安定させることができる。
【００５７】
〔第２実施形態〕
【００５８】
次に、図９〜図１１を用いて、本発明に係る建具用網押さえ部材及び建具用網並びにこれを用いた網戸の第２実施形態について説明する。なお、前述した第１実施形態と同一構成部分については、同一番号を付してその説明を省略する。
【００５９】
図９に示されるように、この実施形態では、ビードに替えて押さえ枠８０を使用した点に特徴がある。押さえ枠８０は中空断面の樹脂製の長尺状部材として構成されており、全体としてはＬ字状に形成されている。具体的には、押さえ枠８０は、片面に網本体４２の端部が接合手段としての両面テープ８２で接着された本体部８４を備えている。本体部８４の反対側には突出部８６が形成されており、かかる突出部８６が前述した網戸枠１８の凹溝２８に押し込まれて保持される構成である。
【００６０】
上記の如くして構成された押さえ枠付き網８８によっても、前述した第１実施形態と同様の作用・効果が得られる。すなわち、簡単な操作で網本体４２に適切な張力を与えることができ、しかも網戸張り作業の容易化を図ることができる。
【００６１】
＜第２実施形態のバリエーション＞
【００６２】
以下、第２実施形態のバリエーションについて概説する。
【００６３】
（１）図１０に示される押さえ枠付き網８８では、略Ｌ字状に形成された前述した押さえ枠８０に替えて、矩形断面の押さえ枠９０が用いられている。そして、押さえ枠９０の一側面に網本体４２の端部が両面テープ８２で固定されていると共に、かかる側面に隣接する連続した二面に網本体４２を巻き付けて使用するようになっている。上記構成によっても、図９に示される押さえ枠８０と同様の作用・効果が得られる。
【００６４】
（２）図１１（Ａ）、（Ｂ）に示される実施形態では、略Π（パイ）字状に形成された中空矩形断面の押さえ枠９２を用いた点に特徴がある。この押さえ枠９２は、網戸枠１８の凹溝２８の開口部３０を閉塞し得る大きさを有する蓋状の閉止部９４を備えている。閉止部９４の片面にはコ字状の本体部９６が一体に形成されており、かかる本体部９６の下面に網本体４２の端部が両面テープ等の接合手段によって接着されている。上記構成によっても、図９に示される押さえ枠８０と同様の作用・効果が得られる。
【００６５】
〔本実施形態の補足説明〕
【００６６】
なお、上述した各実施形態では、内側サッシ１２、外側サッシ１４のサッシ枠とは別個に網戸枠１８を備えていたが、これに限らず、当該サッシ枠にビードを収納させる凹溝を直接設けることにより、網戸枠１８を廃止してもよい。このようにすれば、網戸枠１８が無くなることでコスト削減を図ることができるだけでなく、納まりが良くなるので住宅等の建物としての外観も向上される。
【図面の簡単な説明】
【００６７】
【図１】第１実施形態に係る網戸の縦断面図（ハッチング省略）である。
【図２】（Ａ）はビード付き網の正面図であり、（Ｂ）はビード付き網の平面図である。
【図３】ビード付き網の拡大横断面図である。
【図４】第１実施形態に係る網戸の組付手順を示す縦断面図である。
【図５】従来の一般的な網戸の組付手順を示す図４に対応する縦断面図である。
【図６】ビード付き網の第１の変形例を示す拡大横断面図である。
【図７】ビード付き網の第２の変形例を示す拡大横断面図である。
【図８】ビード付き網の第３の変形例を示す拡大横断面図である。
【図９】第２実施形態に係る押さえ枠付き網の拡大横断面図である。
【図１０】押さえ枠付き網の第１の変形例を示す拡大断面図である。
【図１１】押さえ枠付き網の第２の変形例を示す図４に対応する縦断面図である。
【符号の説明】
【００６８】
１０      網戸
１８      網戸枠
２８      凹溝（被取付部）
３０      開口部
４０      ビード付き網（建具用網）
４２      網本体
４４      ビード（建具用網押さえ部材）
４８      ビード（建具用網押さえ部材）
５０      ビード（建具用網押さえ部材）
５２      芯部
５４      被覆部
５６      ビード（建具用網押さえ部材）
５８      ビード本体
６０      切欠
６２      溶着部
６４      ビード（建具用網押さえ部材）
６６      ビード本体
６８      切欠
７０      両面テープ
８０      押さえ枠（建具用網押さえ部材）
８２      両面テープ（接合手段）
８８      押さえ枠付き網（建具用網）
９０      押さえ枠（建具用網押さえ部材）
９２      押さえ枠（建具用網押さえ部材）
【図１】
2007327257.tif 000003
【図２】
2007327257.tif 000004
【図３】
2007327257.tif 000005
【図４】
2007327257.tif 000006
【図５】
2007327257.tif 000007
【図６】
2007327257.tif 000008
【図７】
2007327257.tif 000009
【図８】
2007327257.tif 000010
【図９】
2007327257.tif 000011
【図１０】
2007327257.tif 000012
【図１１】
2007327257.tif 000013